(57)【要約】【課題】ダイレクトに外部ケーブルを接続できるようにして不要な配線を省略し、収納スペースを小さくできる多芯化ケーブル用リレーユニット及びそれを用いたプログラマブルコントローラを得ることを目的とする。【解決手段】信号入力元をケーブルで接続するためのコネクタ３と、信号出力側に設けた多極数のコネクタ２と、電力を供給する電源を接続する端子５と、信号が入力されるコネクタ３と多極数のコネクタ３とを接続する複数のリレーとを備え、多極数のコネクタ２に、多極数のコネクタ２の極数と同極数のコネクタ端子を有する外線ケーブル６が着脱されるもの構成とする。【選択図】図１
2008218068.tif 000002
【特許請求の範囲】
【請求項１】
信号入力元をケーブルで接続するためのコネクタと、
信号出力側に設けた多極数のコネクタと、
電力を供給する電源を接続する端子と、
上記信号が入力されるコネクタと上記多極数のコネクタとを接続する複数のリレーとを備え、
上記多極数のコネクタに、上記多極数のコネクタの極数と同極数のコネクタ端子を有する外線ケーブルが着脱される多芯化ケーブル用リレーユニット。
【請求項２】
上記リレーは、基板実装型のリレーである請求項１記載の多芯化ケーブル用リレーユニット。
【請求項３】
１コモン当たり多数点の接点構成の上記コモン同士をディップスイッチで接続した請求項１記載の多芯化ケーブル用リレーユニット。
【請求項４】
上記リレー及び電源の動作状態を表示するＬＥＤが設けられている請求項１記載の多芯化ケーブル用リレーユニット。
【請求項５】
上記１ないし４のいずれかに記載の多芯化ケーブル用リレーユニットを用い、上記多芯化ケーブル用リレーユニットの上記端子に接続され、ＣＰＵ装置によりリモートコントロールされる電源を備えたプログラマブルコントローラ。
【請求項６】
上記信号入力元に、トランジスタ出力タイプ基板を用いた請求項５記載のプログラマブルコントローラ。
【請求項７】
プログラマブルコントローラが異常動作の場合に上記電源をリモートコントロールによりＯＦＦするリレーの接点を設けた請求項５記載のプログラマブルコントローラ。
【発明の詳細な説明】
【技術分野】
【０００１】
本発明は、プログラマブルコントローラ等のデジタル出力信号を既存の多芯化コネクタケーブルでインターフェースするためのコネクタを実装した多芯化ケーブル用リレーユニットに関するものである。
【背景技術】
【０００２】
従来のリレーユニットは、リレーユニットへ信号入力元及び外部配線と接続するための端子台を有するソケットと、ソケットに着脱できるようにしたリレーとを備える。外線インターフェース部分となる外部端子台とソケットの端子台とを配線接続し、外部端子台と外部ケーブルとを接続することにより、リレーユニットと外線ケーブルとのインターフェースを行っている（例えば、特許文献1参照）。
【０００３】
【特許文献１】特開平６−５２７６６号公報（第２−３頁、図１）
【発明の開示】
【発明が解決しようとする課題】
【０００４】
従来のリレーユニットは、上記特許文献1のように構成されているので、ソケットと端子台との配線が必要になるという問題があった。
【０００５】
この発明は、上記のような問題を解決するためになされたものであり、ダイレクトに外部ケーブルを接続できるようにして不要な配線を省略し、収納スペースを小さくできる多芯化ケーブル用リレーユニット及びそれを用いたプログラマブルコントローラを得ることを目的とするものである。
【課題を解決するための手段】
【０００６】
本発明に係る多芯化ケーブル用リレーユニットは、信号入力元をケーブルで接続するためのコネクタと、
信号出力側に設けた多極数のコネクタと、
電力を供給する電源を接続する端子と、
上記信号が入力されるコネクタと上記多極数のコネクタとを接続する複数のリレーとを備え、
上記多極数のコネクタに、上記多極数のコネクタの極数と同極数のコネクタ端子を有する外線ケーブルが着脱されるものである。
【０００７】
本発明に係るプログラマブルコントローラは、上記本発明の多芯化ケーブル用リレーユニットを用い、上記多芯化ケーブル用リレーユニットの上記端子に接続され、ＣＰＵ装置によりリモートコントロールされる電源を備えたものである。
【発明の効果】
【０００８】
本発明に係る多芯化ケーブル用リレーユニットは、信号入力元をケーブルで接続するためのコネクタと、
信号出力側に設けた多極数のコネクタと、
電力を供給する電源を接続する端子と、
上記信号が入力されるコネクタと上記多極数のコネクタとを接続する複数のリレーとを備え、
上記多極数のコネクタに、上記多極数のコネクタの極数と同極数のコネクタ端子を有する外線ケーブルが着脱されるものであるので、収納スペースを小さくできる。
【０００９】
本発明に係るプログラマブルコントローラは、上記本発明の多芯化ケーブル用リレーユニットを用い、上記多芯化ケーブル用リレーユニットの上記端子に接続され、ＣＰＵ装置によりリモートコントロールされる電源を備えたものであるので、収納スペースを小さくできる。
【発明を実施するための最良の形態】
【００１０】
実施の形態１．
図１は、本発明の実施の形態１を示す平面図であり、多芯化ケーブル用リレーユニットを示している。
図1に示したように、本実施の形態1の多芯化ケーブル用リレーユニット１は、信号入力元をケーブルで接続するためのコネクタ３と、信号出力側に設けた多極数のコネクタ２と、図示していない信号が入力されるコネクタ３と多極数のコネクタとを接続するリレーとを備え、コネクタ２にはコネクタ２の極数と同極数のコネクタ端子を有する外線ケーブル６が着脱されるように構成されている。
本実施の形態1によれば、トルク管理や施工時の破損といった障害を考慮することが必要な多極の端子台及び外部端子台を廃止して、外線ケーブル６を接続する部分が多極数のコネクタ２となっており、直接外線ケーブル６をリレーユニット１に接続できるので、施工時間の短縮を図ることができるとともに、収納スペースを小さくすることができる。
【００１１】
実施の形態２．
図２は、本発明の実施の形態２を示す平面図であり、多芯化ケーブル用リレーユニットを示している。
図２に示したように、本実施の形態２の多芯化ケーブル用リレーユニット１は、基板実装型のリレー7を備え、他の構成は上記実施の形態1と同様である。
【００１２】
本実施の形態２によれば、端子台を廃し、接点型リレーから基板実装型のリレー7に変更することにより、リレー７を多数個実装できるようになる。
【００１３】
実施の形態３．
図３は、本発明の実施の形態３を示す回路図であり、リレーの構成を示している。
【００１４】
図３に示したように、本実施の形態３では、１コモン当たり多数点を有するリレー（図では８点／コモン）の接点構成の２つの構成において、ディップスイッチ８でコモン線を接続する。このような構成は、リレーを多数個実装できるようになるために可能となっている。
【００１５】
本実施の形態３によれば、ディップスイッチ８を操作することによって、インターフェースを行う構成に応じて、８点／コモンの接点構成と１６点／コモンの接点構成に切り替えることができる。
【００１６】
実施の形態４．
図４は、本発明の実施の形態４を示す平面図であり、多芯化ケーブル用リレーユニットを示している。
【００１７】
図４に示したように、本実施の形態４では、各リレーの動作状態を表示するＬＥＤ９と、電源正常表示用のＬＥＤ１０とを備えている。また、各ＬＥＤには、それぞれの表示内容をＸ０…ＹＦ、ＰＳのように印字している。
【００１８】
本実施の形態４によれば、リレーニットが接続されているシステムの稼働状態が目視点検によって確認することができ、システムの安全性を高めることができる。
【００１９】
実施の形態５．
図５は、本発明の実施の形態５を示す構成図であり、上記実施の形態１ないし４のリレーユニットを利用したプログラマブルコントローラ（ＰＬＣ）の主要部の構成を示している。
【００２０】
図５に示したように、本実施の形態５では、信号出力元にトランジスタ出力基板１２を用い、コネクタ−コネクタの専用ケーブル１１でトランジスタ出力基板１２とリレーユニット１のコネクタ３とを接続する。
【００２１】
本実施の形態５によれば、信号出力元にトランジスタ出力基板１２を用いることにより、多点数の信号出力ができるようになる。
【００２２】
また、コネクタ−コネクタの専用ケーブルを用いることにより、配線スペースを削減して収納効率が向上する。
【００２３】
実施の形態６．
図６は、本発明の実施の形態６を示す構成図であり、図５の構成におけるリレーユニット１が１個の場合を示している。
【００２４】
図６に示したように、本実施の形態６では、リレーユニット１に電力供給している電源装置４のリモートコントロール入力をしているＣＰＵ装置と電源装置との間に、ＰＬＣの異常検出時にＣＰＵ装置がＯＦＦする接点１４を有するリレー１５を設けている。図５に示したようにリレーユニット１が複数個の場合、１個の電源装置４で各リレーユニット１に電力が供給される。
【００２５】
本実施の形態６によれば、ＰＬＣの異常検出時にリレー１５の接点１４をＯＦＦすることにより、全てのリレーユニット１の出力カットができる。
【産業上の利用可能性】
【００２６】
本発明は、プログラマブルコントローラ等のデジタル出力信号を既存の多芯化コネクタケーブルでインターフェースするためのコネクタを実装した多芯化ケーブル用のリレーユニットに有効に利用することができる。
【図面の簡単な説明】
【００２７】
【図１】本発明の実施の形態１を示す平面図である。
【図２】本発明の実施の形態２を示す平面図である。
【図３】本発明の実施の形態３を示す回路図である。
【図４】本発明の実施の形態４を示す平面図である。
【図５】本発明の実施の形態５を示す構成図である。
【図６】本発明の実施の形態６を示す構成図である。
【符号の説明】
【００２８】
１  リレーユニット、２，３  コネクタ、４  電源、５  電源入力端子、
６  外線ケーブル、７  リレー、８  ディップスイッチ、９，１０  ＬＥＤ、
１１  コネクタ−コネクタの専用ケーブル、１２  トランジスタ出力基板、１４  接点、１５  リレー。
【図１】
2008218068.tif 000003
【図２】
2008218068.tif 000004
【図３】
2008218068.tif 000005
【図４】
2008218068.tif 000006
【図５】
2008218068.tif 000007
【図６】
2008218068.tif 000008